【事件の表示】
　商願２００６−　８４９１６拒絶査定不服審判事件について、次のとおり審決する。
【結　論】
　本件審判の請求は、成り立たない。
【理　由】
１　本願商標 
　本願商標は、「悠仁」の文字を標準文字で書してなり、第３１類「生花の花輪，釣り用餌，ホップ，食用魚介類（生きているものに限る。），海藻類，野菜，糖料作物，果実，コプラ，麦芽，あわ，きび，ごま，そば，とうもろこし，ひえ，麦，籾米，もろこし，飼料用たんぱく，飼料，種子類，木，草，芝，ドライフラワー，苗，苗木，花，牧草，盆栽，獣類・魚類（食用のものを除く。）・鳥類及び昆虫類（生きているものに限る。），蚕種，種繭，種卵，うるしの実，未加工のコルク，やしの葉」を指定商品として、平成１８年９月１２日に登録出願されたものである。 
　 
２　原査定の拒絶の理由
　原査定は、「本願商標は、日本の皇族である秋篠宮文仁親王様と文仁親王妃紀子様との間に生まれたお子様の名前である「悠仁」の文字と同じですから、このような商標を一企業である出願人が採択使用することは公の秩序に反し穏当ではない。したがって、本願商標は、商標法第４条第１項第７号に該当する。」旨認定、判断し、本願を拒絶したものである。
　 
３　当審の判断 
（１）商標法第４条第１項第７号について
　商標の構成（文字や図形等）それ自体において公の秩序又は善良の風俗を害するおそれがある商標はもとより商標法第４条第１項第７号に該当するが、その構成自体においてはそうでなくても、当該商標の出願がその経緯において適正な商道徳に反し、社会通念に照らしてみれば、社会的妥当性を欠くものがあり、その登録を認めることが商標法の目的に反することになる場合には、商標法第４条第１項第７号に該当することがあると解される（東京高裁　平成１４年（行ケ）第６１６号・平成１５年５月８日判決参照）。
　以上の観点を踏まえて、以下、本件について検討する。
（２）本願商標「悠仁」について
　本願商標は、「悠仁」の文字を書してなるところ、日本の皇族である秋篠宮さまと同妃紀子さまの第３子が２００６年９月６日にご誕生し、その命名の儀が同年９月１２日になされ、その名前が「悠仁」さまであることは、当時のテレビや新聞等で大きく報道され、その周知性については日本全体に及ぶものと認められる。
　上記した実情は、以下の新聞記事情報をみても十分に裏付けられるところである。
（ア）２００８年３月２９日朝日新聞朝刊３８頁には、「秋篠宮悠仁さま、歩いた」の見出しの下、「秋篠宮ご一家は２８日、静養のため栃木県高根沢町の御料牧場を訪れた。・・・１歳半になった長男悠仁さまが報道陣の前で初めて歩く姿もみられた」との記載。
（イ）２００８年１月２５日読売新聞東京夕刊２２頁には、「秋篠宮ご夫妻、インドネシア訪問から帰国」の見出しの下、「紀子さまにとっては、一昨年９月の悠仁さま誕生以来初めての海外訪問。」との記載。
（ウ）２００７年１２月２３日共同通信には、「７４歳誕生日祝い一般参賀『明るい年となるよう』」の見出しの下、「夕方から夜には、皇太子家の長女愛子さまや秋篠宮家の長男悠仁（ひさひと）さまも御所にあいさつに訪れたほか、天皇ご一家で夕食を共にされた。」との記載。
（エ）２００７年１２月１４日朝日新聞東京朝刊３７頁には、「『悠』仁さま人気続く『子』も見直され復権　０７年人気の名前調査」の見出しの下、「男の子は、秋篠宮ご夫妻の長男、悠仁（ひさひと）さまが昨年誕生して以来、『悠』の人気が高まっている。」との記載。
（オ）２００７年１１月３０日朝日新聞東京朝刊３４頁には、「『天皇陛下の負担軽減を』秋篠宮さま４２歳」の見出しの下、「秋篠宮さまは３０日、４２歳の誕生日を迎える。・・・長男悠仁さまの成長ぶりについて、秋篠宮さまは『一人で歩くようになりました』、紀子さまは・・・」との記載。
（カ）２００７年１１月２１日朝日新聞東京朝刊３３頁には、「紀子さま外国へ　悠仁さま出産後初」の見出しの下、「宮内庁は２０日、秋篠宮ご夫妻が来年１月、インドネシアを公式訪問する予定だと発表した。・・・紀子さまが外国訪問をするのは、悠仁さま出産後初めて。」との記載。
（キ）２００７年１１月９日読売新聞東京朝刊２５頁には、「悠仁さま誕生記念に純金ポニー　会津若松の時計店、きょう展示＝福島」の見出しの下、「秋篠宮家の悠仁さま誕生を記念して、田中貴金属工業（本社・東京）の直営店が昨年９月に制作した。」との記載。
（ク）２００７年９月６日共同通信「悠仁さま、健やかに満１歳　歯が生え、伝え歩きも」の見出しの下、「秋篠宮ご夫妻の長男悠仁さまは６日、満一歳の誕生日を迎えた。同日午前には、紀子さまが悠仁さまを連れて皇居・御所を訪れ、天皇、皇后両陛下に誕生日のあいさつをされる。」との記載。
（ケ）２００７年５月１１日毎日新聞西部朝刊２５頁には、「雑記帳：鹿児島市の繁華街・・・」の見出しの下、「◇秋篠宮ご夫妻の長男悠仁さまの初節句を祝い、東京都の貴金属店が制作した。」との記載。
（コ）２００７年１月２７日朝日新聞東京地方版／山梨３１頁には、「すくすく育て高野槙　秋篠宮家長男・悠仁さまの『お印』を植樹　甲斐／山梨」の見出しの下、「秋篠宮家の長男悠仁（ひさひと）さまの『お印』に選ばれた高野槙（こうやまき）が２６日、甲斐市篠原の県緑化センターで植樹された＝写真。」との記載。
（サ）２００７年１月１４日朝日新聞大阪地方版／岡山２２頁には、「純金ポニー、１億５０００万円ナリ　岡山の宝飾店、きょうまで展示　／岡山」の見出しの下、「純金ポニーは長さ７５センチ、幅３８センチ、高さ４４センチ。昨年９月、秋篠宮家に悠仁さまが誕生したことを祝って作られた。」との記載。
（シ）２００７年１月１４日毎日新聞東京朝刊２６頁には、「皇室：悠仁さま、お箸初」の見出しの下、「秋篠宮ご夫妻の長男、悠仁（ひさひと）さまの『お箸初（はしぞめ）』が１３日、住まいの東京・元麻布の宮邸で行われた。」との記載がある。
（ス）２００６年１２月３１日読売新聞大阪朝刊１１頁には、「［気流］１２月のデスクメモ」の記事の下、「明るい話題もありました。秋篠宮妃紀子さまの悠仁さまご出産は読者が選んだ日本の１０代ニュースのトップにランクされました。」との記載。
（セ）２００６年１１月３０日共同通信には、「よく眠り、微笑む悠仁さま　秋篠宮さま４１歳で記者会見」の見出しの下、「秋篠宮さまは三十日、四十一歳の誕生日を迎えられた。これに先立ち紀子さま（４０）と東京・元麻布の宮邸で記者会見、九月に誕生した長男悠仁（ひさひと）さまの様子を『よく眠って、よく泣いて、よく笑っています』と話した。」との記載。
　以上よりすれば、本願商標の「悠仁」の文字が、査定時及び審決時において、秋篠宮さまと同妃紀子さまとの間に生まれたお子様の名前として、日本全国において広く認識されているものと認められるものである。
　そうすると、皇族の名前として、日本全国において広く認識されている「悠仁」の文字を、一私人である請求人が登録し、その商品について独占使用することは、公の秩序を乱すばかりでなく、社会通念に照らし、社会的妥当性を欠くものがあり、その登録を認めることが商標法の目的に反することになるといわざるを得ないものである。
　なお、請求人は、単なる「悠仁」のみにおいては、天皇家の「悠仁」さまを特定することにはならず、さらに一般人として存在する名前「悠仁」の中の誰を指称するのかも特定できない旨主張しているが、査定時及び審決時において、「悠仁」の文字が日本の皇族である秋篠宮さまと同妃紀子さまの第３子の名前を表すものとして、広く日本国民に認識されていることは、上記で示したとおりであり、「悠仁」の文字からは、上記皇族の名前を表しているものと認識するのが相当であるから、この請求人の主張は採用できない。
　また、請求人は、日本の皇族の名前の文字と同じ商標が登録されている旨主張しているが、それらの登録例と本願商標とは、その構成及び態様が異なり、事案を異にするものといわざるを得ないものであり、そして、具体的事案の判断においては、過去の登録例に拘束されることなく検討されるべきものであるから、この請求人の主張も採用することができない。
　したがって、本願商標を商標法第４条第１項第７号に該当するとして本願を拒絶した原査定は、妥当であって、これを取り消すことはできない。
　よって、結論のとおり審決する。